(57)【要約】      （修正有）【課題】下端の形状が異なる便器に対して、端縁が便器の側面に沿った状態で敷くことができる衛生的で汎用性の高いトイレマットを提供する。【解決手段】洋式便器または男性用小便器の下端部が臨む切欠部２ａを有するトイレマット１ａであって、マット本体１２と、マット本体より薄肉に形成され、切欠部２ａから離れた位置で、切欠部を外側から囲むようにマット本体を分画するように設けられた易可撓部３ａを備えている。【選択図】図３
0003226988.tif 000002
【実用新案登録請求の範囲】
【請求項１】
洋式便器または男性用小便器の下端部が臨む切欠部を有するトイレマットであって、
マット本体と、このマット本体より薄肉に形成され、前記切欠部から離れた位置で、切欠部を外側から囲むように前記マット本体を分画するように設けられた易可撓部を備えていることを特徴とするトイレマット。
【請求項２】
前記切欠部が、円弧状または略Ｕ字形をした切欠底部と、切欠底部のＵ字の両端からそれぞれ前記マット本体の幅方向外側に向かって湾曲しつつ拡幅する拡幅湾曲部を備えている請求項１に記載のトイレマット。
【請求項３】
前記マット本体を分画する複数条の易可撓部を有し、マット本体の幅方向外側に位置する易可撓部が内側に位置する易可撓部を外側から囲むように設けられている請求項１に記載のトイレマット。
【請求項４】
前記複数条の易可撓部が、それぞれＵの字の縦辺が平行になっている請求項３に記載のトイレマット。
【請求項５】
２条の前記易可撓部を有し、これらの易可撓部が、Ｕ字の底で連結されている請求項４に記載のトイレマット。
【請求項６】
前記Ｕ字の縦辺の長さが便器の奥行方向の長さの１／２以上である請求項４または請求項５に記載のトイレマット。
【請求項７】
前記易可撓部の幅が、前記マット本体の厚みの１／２以上である請求項１〜請求項６のいずれかに記載のトイレマット。
【請求項８】
前記マット本体が樹脂発泡体で形成され、マット外縁および前記易可撓部が樹脂発泡体の熱圧縮体である請求項１〜請求項７のいずれかに記載のトイレマット。
【請求項９】
前記樹脂発泡体が、塩化ビニル樹脂発泡体である請求項８に記載のトイレマット。
【考案の詳細な説明】
【技術分野】
【０００１】
本考案は、洋式便器や男性小用便器に沿ってトイレの床に敷かれるトイレマットに関する。
【背景技術】
【０００２】
一般に、男性は、立って小用するため、便器から外れた小便がトイレの床にこぼれる可能性や、便器からの跳ね返りが便器周囲に落ちることがある。
【０００３】
そこで、従来から、図８に示すようなトイレマット１００が用いられている。
【０００４】
従来のトイレマット１００は、図８に示すように、略Ｕ字形の切欠部１１０が設けられて、この切欠部１１０を便器Ｔの下端縁に沿わせるように、トイレの床に敷くようになっている。
【０００５】
すなわち、トイレマット１００をトイレの床に敷くことで、便器Ｔからこぼれたり、跳ね返ったりした小便をトイレマット１００で受けて床に小便が直接触れないようにできる。
【考案の概要】
【考案が解決しようとする課題】
【０００６】
しかし、便器Ｔの形状や大きさは、メーカーや用途によっていろいろと異なるため、切欠の形状が一種類では、切欠の内縁が、便器の下端縁にきっちりと沿わず、隙間ができてしまい、便器Ｔからこぼれたり、跳ね返ったりした小便がこの隙間に入り、トイレの床を濡らしてしまうおそれがある。
【０００７】
本考案は、上記事情に鑑みて、下端の形状が異なる便器に対して、端縁が便器の側面に沿った状態で敷くことができる衛生的で汎用性の高いトイレマットを提供することを目的としている。
【課題を解決するための手段】
【０００８】
上記目的を達成するために、本考案にかかるトイレマット（以下、「本考案のトイレマット」と記す）は、洋式便器または男性用小便器の下端部が臨む切欠部を有するトイレマットであって、マット本体と、このマット本体より薄肉に形成され、前記切欠部から離れた位置で、切欠部を外側から囲むように前記マット本体を分画するように設けられた易可撓部を備えていることを特徴としている。
【０００９】
本考案のトイレマットは、前記切欠部が、円弧状または略Ｕ字形をした切欠底部と、切欠底部のＵ字の両端からそれぞれ前記マット本体の幅方向外側に向かって湾曲しつつ拡幅する拡幅湾曲部を備えている構成とすることができる。
【００１０】
本考案のトイレマットは、前記マット本体を分画する複数条の易可撓部を有し、マット本体の幅方向外側に位置する易可撓部が内側に位置する易可撓部を外側から囲むように設けられている構成とすることができる。
【００１１】
上記複数条の易可撓部は、それぞれＵの字の縦辺が平行になっていることが好ましい。
【００１２】
また、２条の易可撓部を有する構成とした場合、これらの易可撓部が、Ｕ字の底で連結されていること、前記Ｕ字の縦辺の長さが便器の奥行方向の長さの１／２以上であることが好ましい。
【００１３】
また、上記易可撓部の幅は、特に限定されないが、マット本体の厚みの１／２以上であることが好ましく、１／２〜３／５がより好ましい。
【００１４】
すなわち、マット本体の厚みに対し、易可撓部の幅が狭すぎると、可撓性が十分得られない可能性がある。
【００１５】
本考案のトイレマットは、マット本体が樹脂発泡体で形成され、マット外縁および前記易可撓部が樹脂発泡体の熱圧縮体であることが好ましい。
【００１６】
すなわち、上記のような構成においては、長尺の樹脂発泡体シートをトイレマット形状に打ち抜くと同時に、得られるマットの外縁となる部分と、易可撓部となる部分を、高周波等の融着手段を用いて加熱圧縮することによって、容易にクッション性を備えた本考案のトイレマットを得ることができる。
【００１７】
上記樹脂発泡体としては、特に限定されないが、塩化ビニル樹脂、ポリエチレン樹脂等の発泡体が挙げられ、塩化ビニル樹脂発泡体が好適である。
【考案の効果】
【００１８】
本考案のトイレマットは、上記のように、洋式便器または男性用小便器の下端部が臨む切欠部を有するトイレマットであって、マット本体と、このマット本体より薄肉に形成され、前記切欠部から離れた位置で、切欠部を外側から囲むように前記マット本体を分画するように設けられた易可撓部を備えているので、切欠部の切欠底部より便器の下端部形状が大きい場合において、マット本体の易可撓部で分画された易可撓部より切欠部側の部分が易可撓部で上方に持ち上げられる。
【００１９】
そして、分画部が持ち上げられることによって、切欠部の内縁が便器の後方に向かって上方に傾斜して便器の側壁面にうまく沿うようになる。
【００２０】
したがって、異なる形状の便器においても、便器の壁面を伝う小便がトイレの床に零れ落ちることなくマット本体に受けられ、床をきれいない状態に保つことができる。
【図面の簡単な説明】
【００２１】
【図１】本考案のトイレマットの第１の実施の形態の平面図である。
【図２】図１のＸ−Ｘ断面の端面図である。
【図３】図１のトイレマットの使用状態をあらわす斜視図である。
【図４】本考案のトイレマットの第２の実施の形態の平面図である。
【図５】図４のＹ−Ｙ断面の端面図である。
【図６】図４のＺ−Ｚ断面の端面図である。
【図７】図４のトイレマットの使用状態をあらわす斜視図である。
【図８】従来のトイレマットの使用状態をあらわす斜視図である。
【考案を実施するための形態】
【００２２】
以下に、本考案を、その実施の形態をあらわす図面を参照しつつ詳しく説明する。
【００２３】
図１〜図３は、本考案のトイレマットの第１の実施の形態をあらわしている。
【００２４】
図１に示すように、このトイレマット１ａは、切欠部２ａが一側に設けられ、周囲に薄肉の外縁部１１を有するマット本体１２と、このマット本体１２より薄肉に形成され、切欠部２ａから離れた位置で、切欠部２ａを外側から囲み、マット本体１２に分画部１３を形成するように設けられた易可撓部３ａを備えている。
【００２５】
本実施の形態で、このトイレマット１ａは、図１に示すように、マット幅が６０ｃｍで、奥行きが５５ｃｍ、図２に示すように、易可撓部３ａの幅が２．５〜３．０ｃｍ、マット本体１２および分画部１３の厚みが５ｍｍであり、易可撓部３ａの厚みが１〜２ｍｍである。
【００２６】
切欠部２ａは、図３に示すように、円弧状の切欠底部２１と、この切欠底部２１の開口側の端から、トイレマット１ａの幅方向外側に向かって間隔が徐々に拡がるように湾曲する拡幅湾曲部２２を備え、切欠部２ａの深さ（切欠底部２１の底から切欠部開口縁までの寸法）が約１５ｃｍ、拡幅湾曲部２２の開口端間の寸法が３０ｃｍである。
【００２７】
なお、このトイレマット１ａは、たとえば、図示していないが、塩化ビニル樹脂発泡体シートを型でマット本体形状に打ち抜くとともに、マット本体１２の外縁部１１形成部および易可撓部３ａ形成部を、高周波ウェルダーを用いて、加熱圧縮して外縁部１１および易可撓部３ａが形成される。
【００２８】
トイレマット１ａの表面は、必要に応じて図柄が印刷されていても構わない。
【００２９】
このトイレマット１ａは、図３に示すように、便器Ｔの下端部が切欠部２ａの切欠底部２１の円弧形状より幅広である場合においても、切欠底部２１の底を便器Ｔ前面の下端に一致させてトイレの床Ｆに敷設すると、上記のように、易可撓部３ａを備えているので、切欠部２ａの内縁が、便器Ｔの側壁面に沿うように、易可撓部３ａで折れ曲がる。
【００３０】
したがって、切欠部２ａの切欠底部２１より便器Ｔの下端部形状が大きい場合において、マット本体１２の易可撓部３ａで分画された分画部１３が他の部分に対して易可撓部３ａを基端として上方に持ち上げられる。
【００３１】
そして、分画部１３が持ち上げられることによって、切欠部２ａの内縁が便器Ｔの後方に向かって上方に傾斜して便器Ｔの側壁面にうまく沿うようになる。
【００３２】
したがって、異なる形状の便器Ｔにおいても、便器Ｔの壁面を伝う小便がトイレの床Ｆに零れ落ちることなくマット本体１２に受けられ、床Ｆをきれいない状態に保つことができる。
【００３３】
また、トイレマット１ａが塩化ビニル樹脂製であるので、マット本体１２の表面が濡れても、容易にふき取ることができる。
【００３４】
図４〜図７は、本考案のトイレマットの第２の実施の形態をあらわしている。
【００３５】
図４に示すように、このトイレマット１ｂは、略Ｕ字形をして、Ｕ字の切欠底部２３が円弧状をしているのともに、切欠底部２３に連続するU字の縦辺２４部分が長尺の直線条になっている。
【００３６】
また、この実施の形態では、切欠部２ｂのＵ字の上端からＵ字の底までの長さが約４１ｃｍ、Ｕ字の縦辺２４間の長さが約２４ｃｍであるとともに、第１易可撓部３ｂと、第２易可撓部３ｃの２条の易可撓部を備えている以外は、上記第１の実施の形態と同様になっている。したがって、第１の実施の形態と同様の構成部分は、同じ符号を付している。
【００３７】
第１易可撓部３ｂは、マット本体１２の切欠部２ｂとの間に、第１分画部１４を形成するように、略Ｕ字形に設けられていて、この実施の形態では、その幅が２．５〜３．０ｍｍである。
【００３８】
第２易可撓部３ｃは、第１易可撓部３ｂを外側から囲み、第１分画部１４の外側に第２分画部１５をむように略Ｕ字形に設けられていて、図４および図５に示すように、Ｕ字の縦辺部分では、マット本体１２を等間隔で分画するように設けられているが、図４および図６に示すように、Ｕ字の底側で、第１易可撓部３ｂの底と一体化している。
【００３９】
このトイレマット１ｂは、上記のように構成されており、図７に示すように、便器Ｔの下端部が切欠部２ｂのＵ字の切欠底部２３の円弧形状より幅広である場合においても、切欠底部２３の底を便器Ｔ前面の下端に一致させてトイレの床Ｆに敷設すると、上記のように、第１易可撓部３ｂおよび第２易可撓部３ｃを備えているので、切欠部２ｂの内縁が、便器Ｔの側壁面に沿うように、第１易可撓部３ｂおよび第２易可撓部３ｃで折れ曲がる。
【００４０】
すなわち、便器Ｔの形状が少々異なっていても、便器Ｔの側面を伝って落ちる小便を床Ｆ側に零すことなくマット本体１２上に受けることができる。
【００４１】
しかも、２条の易可撓部１４、１５を備えているとともに、Ｕ字の底側で、第１易可撓部３ｂと第２易可撓部３ｃがＵ字の底部分で一体化しているので、切欠部２ｂの深さ方向の長さを長くしても切欠部２ｂのU字の縦辺部が全長において便器Ｔの側壁面に沿いやすい。
【００４２】
したがって、小便をより床Ｆに零れ落ちにくくすることができる。
【００４３】
本考案は、上記の実施の形態に限定されない。たとえば、上記の実施の形態では、高周波ウェルダーを用いて塩化ビニル樹脂発泡体からなるシートを打ち抜くと同時に、易可撓部および外縁部を形成するようにしていたが、製造方法は特に限定されず、たとえば、発泡射出成形や、分画部と他の部分とを別体成形して易可撓部で融着一体化するような製造方法でも構わない。
【００４４】
上記第１の実施の形態では、易可撓部が１条であったが、第１の実施の形態の場合も、第２の実施の形態と同様にして２条にしても構わないし、第２の実施の形態の場合、３条以上設けるようにしても構わない。
【符号の説明】
【００４５】
１ａ，１ｂ  トイレマット
１１  外縁部
１２  マット本体
１３  分画部
１４  第１分画部
１５  第２分画部
２ａ，２ｂ  切欠部
２１  切欠底部
２２  拡幅湾曲部
２３  切欠底部
２４  縦辺
３ａ  易可撓部
３ｂ  第１易可撓部
３ｃ  第２易可撓部
Ｆ  床
Ｔ  便器
【図１】
0003226988.tif 000003
【図２】
0003226988.tif 000004
【図３】
0003226988.tif 000005
【図４】
0003226988.tif 000006
【図５】
0003226988.tif 000007
【図６】
0003226988.tif 000008
【図７】
0003226988.tif 000009
【図８】
0003226988.tif 000010